【手続補正書】
【提出日】平成18年4月28日(2006.4.28)
【手続補正１】
【補正対象書類名】明細書
【補正対象項目名】発明の名称
【補正方法】変更
【補正の内容】
【発明の名称】卒中および他の小血管血栓塞栓症を治療するための塞栓摘出用カテーテル
【手続補正２】
【補正対象書類名】明細書
【補正対象項目名】特許請求の範囲
【補正方法】変更
【補正の内容】
【特許請求の範囲】
【請求項１】  血管から凝血塊または他の閉塞物質を除去するための塞栓摘出用カテーテル装置であって、
基端、末端、および少なくとも一部を長手方向に延びるガイドワイヤ管腔を有する細長い可撓性カテーテル本体と、
初めは閉塞物質を通過し得る第１の積み込み形状に配置され、のちに第２の半径方向拡張形状に開いて配置可能な閉塞物質捕獲用受容部と
を備え、
前記閉塞物質捕獲用受容部は、閉塞物質捕獲用受容部および前記カテーテル本体をあらかじめ配置したガイドワイヤに沿って進め得るように、カテーテル本体のガイドワイヤ管腔と整列して長手方向に延びるガイドワイヤ管腔を有する
塞栓摘出用カテーテル装置。
【請求項２】  閉塞物質捕獲用受容部が、血液を流通させるのに十分な程度に多孔性であるが、凝血塊の通過を阻止するのに十分な程度に非多孔性である請求項１に記載の塞栓摘出用カテーテル装置。
【請求項３】  前記閉塞物質捕獲用受容部には、２５〜９０％の多孔度を得るために１００〜１，０００ミクロンの開口が形成されている請求項２に記載の塞栓摘出用カテーテル装置。
【請求項４】  閉塞物質捕獲用受容部が、カテーテル内に引き込まれるときには前記第１形状に折り畳まれ、前記カテーテルから出て進められるときには前記第２形状に拡張する予備形成弾性材料より形成されている請求項１に記載の塞栓摘出用カテーテル装置。
【請求項５】  閉塞物質捕獲用受容部が、体温において超弾性の材料より形成されている請求項４に記載の塞栓摘出用カテーテル装置。
【請求項６】  閉塞物質捕獲用受容部が、体温において超弾性のニッケル−チタン合金より形成されている請求項５に記載の塞栓摘出用カテーテル装置。
【請求項７】  カテーテルが前記カテーテルの末端を通って延びる複数の部材ガイド通路をさらに備え、
閉塞物質捕獲用受容部が、略螺旋形状に予備形成されかつカテーテルの末端に形成された複数のガイド通路を通って延びる複数の細長い部材を有し、
前記細長い部材は前記ガイド通路を通って基端方向に引き込み可能であり、それにより前記細長い部材はほぼまっすぐな形状をとることと、
前記細長い部材は前記ガイド通路を通って末端方向に推進可能であり、それにより前記細長い部材は略螺旋形状をなして前記略凹形凝血塊捕獲用受容部を構成する
請求項１に記載の塞栓摘出用カテーテル装置。
【請求項８】  前記細長い部材の末端に形成された先端部材をさらに備え、閉塞物質捕獲用受容部の前記ガイドワイヤ管腔は前記先端部材を通って延びている請求項７に記載の塞栓摘出用カテーテル装置。
【請求項９】  カテーテル本体の基端に形成された基端連結部材をさらに備え、前記基端連結部材には、ガイドワイヤがカテーテル本体のガイドワイヤ管腔内に配置されている間にカテーテル本体の管腔を介してＸ線透過写真用造影剤を注入するための注入口が形成されている請求項１に記載の塞栓摘出用カテーテル装置。
【請求項１０】  前記細長い部材の末端部が閉塞物質捕獲用受容部の末端閉塞物質受容部を構成する形状に曲げられている請求項１に記載の塞栓摘出用カテーテル装置。
【請求項１１】  前記細長い部材の末端部は、拘束されていないときには、受容部の末端閉塞物質受容部を構成し、前記細長い部材の基端部は、カテーテル本体から受容部の末端閉塞物質受容部まで延びる支柱を構成する請求項１に記載の塞栓摘出用カテーテル装置。
【請求項１２】  前記支柱は、基端方向に引き込まれるときには凝血塊を通過するように設計かつ配置されるが、受容部の末端閉塞物質受容部は前記凝血塊の通過を阻止するのに十分に緻密である請求項１１に記載の塞栓摘出用カテーテル装置。
【請求項１３】  ガイドワイヤ管腔がカテーテル本体の実質的に全体にわたって長手方向に延びているオーバーザワイヤ型実施態様の請求項１に記載の塞栓摘出用カテーテル装置。
【請求項１４】  カテーテルがその末端付近に間隔を置いてカテーテル内に形成されたガイドワイヤ通過口をさらに備え、ガイドワイヤ管腔がカテーテル内の少なくともガイドワイヤ通過口からカテーテルの末端まで延びている迅速交換型実施態様の請求項１に記載の塞栓摘出用カテーテル装置。
【請求項１５】  ガイドワイヤ管腔内に配置され、カテーテルをガイドワイヤに沿って末端方向に進めるときに、ガイドワイヤの基端をガイドワイヤ通過口から出て曲がった方向へ向けるように設計されたガイドワイヤ偏向部をさらに備える請求項１４に記載の塞栓摘出用カテーテル装置。
【請求項１６】  ガイドワイヤ偏向部が湾曲したガイドワイヤ偏向チューブを有し、湾曲したガイドワイヤ偏向チューブは、ガイドワイヤの基端が前記湾曲したガイドワイヤ偏向チューブの末端内に収容された後、湾曲したガイドワイヤ偏向チューブを通ってガイドワイヤ通過口から出て行くように、ガイドワイヤ通過口に配置された基端とカテーテルのガイドワイヤ管腔内に配置された末端とを有する請求項１５に記載の塞栓摘出用カテーテル装置。
【請求項１７】  ガイドワイヤの基端を前記湾曲したガイドワイヤ偏向チューブの末端に入れやすくするために、湾曲したガイドワイヤ偏向チューブの末端が前記湾曲したガイドワイヤ偏向チューブの残りの部分より大きい径を有する請求項１６に記載の塞栓摘出用カテーテル装置。
【請求項１８】  湾曲したガイドワイヤ偏向チューブの末端をカテーテルのガイドワイヤ管腔内のほぼ中心位置に保持するために、少なくとも１つの支持部材が前記湾曲したガイドワイヤ偏向チューブの末端に取り付けられている請求項１６に記載の塞栓摘出用カテーテル装置。
【請求項１９】  ガイドワイヤ管腔がさらにカテーテルのガイドワイヤ通過口近くの部分を通って延びて、Ｘ線透過写真用造影剤注入用およびガイドワイヤ通過用に用いられ、Ｘ線透過写真用造影剤を湾曲したガイドワイヤ偏向チューブを通ってカテーテルの末端から流出させるために、湾曲したガイドワイヤ偏向チューブの末端に隣接して少なくとも１つの流路が形成されている請求項１７に記載の塞栓摘出用カテーテル装置。
【請求項２０】  カテーテル本体がその基端近くに比べてその末端近くの方が可撓性が大きい請求項１に記載の塞栓摘出用カテーテル装置。
【請求項２１】  カテーテル本体の基端と末端の間の少なくとも一部分が、その全長にわたって次第に増大する可撓性を有する請求項２０に記載の塞栓摘出用カテーテル装置。
【請求項２２】  カテーテル本体が異なる可撓性を有する２つ以上の別個の領域を有する請求項２０に記載の塞栓摘出用カテーテル装置。
【請求項２３】  カテーテル本体が異なる径を有する２つ以上の別個の領域を有する請求項２０に記載の塞栓摘出用カテーテル装置。
【請求項２４】  前記異なる径を有する別個の領域が異なる可撓性をも有する請求項２３に記載の塞栓摘出用カテーテル装置。
【請求項２５】  閉塞物質捕獲用受容部およびカテーテル本体が、除去した閉塞物質と共に、経皮的血管アクセス路を通って抜出可能であるように構成されている請求項１に記載の塞栓摘出用カテーテル装置。
【請求項２６】  迅速交換型マイクロカテーテルであって、
基端および末端を有し、基端近くに比べ末端近くの方が可撓性が大きい細長い可撓性カテーテルと、
カテーテルを通って長手方向に延びる管腔と、
ガイドワイヤ通過口であって、ガイドワイヤがカテーテル管腔の末端部だけを通って延びるように、カテーテル管腔の末端に挿入されたガイドワイヤの基端がガイドワイヤ通過口から出て行くようにカテーテルの末端近くに間隔を置いてカテーテル内に形成されたガイドワイヤ通過口と
を備える迅速交換型マイクロカテーテル。
【請求項２７】  カテーテル管腔内に配置され、カテーテルをガイドワイヤに沿って末端方向に進めるときに、ガイドワイヤの基端をガイドワイヤ通過口から出て曲がった方向へ向けるように設計されているガイドワイヤ偏向部をさらに備える請求項２６に記載の迅速交換型マイクロカテーテル。
【請求項２８】  ガイドワイヤ偏向部が湾曲したガイドワイヤ偏向チューブを有し、湾曲したガイドワイヤ偏向チューブは、ガイドワイヤの基端が前記湾曲したガイドワイヤ偏向チューブの末端内に収容された後、湾曲したガイドワイヤ偏向チューブを通ってガイドワイヤ通過口から出て行くように、ガイドワイヤ通過口に配置された基端とカテーテルの管腔内に配置された末端とを有する請求項２７に記載の迅速交換型カテーテル装置。
【請求項２９】  ガイドワイヤの基端を前記湾曲したガイドワイヤ偏向チューブの末端に入れやすくするために、湾曲したガイドワイヤ偏向チューブの末端が前記湾曲したガイドワイヤ偏向チューブの残りの部分より大きい径を有する請求項２８に記載の迅速交換型マイクロカテーテル。
【請求項３０】  湾曲したガイドワイヤ偏向チューブの末端をカテーテルのガイドワイヤ管腔内のほぼ中心位置に保持するために、少なくとも１つの支持部材が湾曲したガイドワイヤ偏向チューブの末端に取り付けられている請求項２８に記載の迅速交換型マイクロカテーテル装置。
【請求項３１】  カテーテル管腔がカテーテルのガイドワイヤ通過口近くの部分を通って延びて、Ｘ線透過写真用造影剤注入用およびガイドワイヤ通過用に用いられ、Ｘ線透過写真用造影剤を湾曲したガイドワイヤ偏向チューブを通ってカテーテルの末端から流出させるために、湾曲したガイドワイヤ偏向チューブの末端に隣接して少なくとも１つの流路が形成されている請求項３０に記載の迅速交換型マイクロカテーテル装置。
【請求項３２】  カテーテル本体が異なる可撓性を有する２つ以上の別個の領域を有する請求項３１に記載の迅速交換型マイクロカテーテル。
【請求項３３】  カテーテル本体が異なる径を有する２つ以上の別個の領域を含む請求項３２に記載の迅速交換型マイクロカテーテル。
【請求項３４】  前記異なる径を有する別個の領域が異なる可撓性をも有する請求項３３に記載の迅速交換型マイクロカテーテル。
【請求項３５】  哺乳動物患者の脳の血管から凝血塊等の閉塞物質を除去するためのシステムであって、
基端および末端を有するガイドワイヤと、
基端および末端を有し、（ｉ）第１径の基端部、（ｉｉ）前記第１径より小さい第２径の末端部、（ｉｉｉ）内部を長手方向に延びる管腔を有する細長い可撓性チューブを備えたマイクロカテーテルと、
塞栓摘出用カテーテル装置であって、（ｉ）基端、末端、および少なくとも一部を長手方向に延びるガイドワイヤ管腔を有する細長い弾性塞栓摘出用カテーテル本体と、（ｉｉ）初めは半径方向折り畳み形状に配置され、のちに半径方向拡張形状に開いて配置可能な閉塞物質捕獲用受容部であって、基端開口を通じて閉塞物質の少なくとも一部を閉塞物質捕獲用受容部に受容し得るような基端開口を有する閉塞物質捕獲用受容部と、を備えた塞栓摘出用カテーテル装置と
を有し、
前記ガイドワイヤ、マイクロカテーテルおよび塞栓摘出用カテーテルが、以下の工程：
Ａ．  患者の脈管構造中にマイクロカテーテルを挿入し、マイクロカテーテルを閉塞物質近くの位置に進める工程と、
Ｂ．  閉塞物質領域内の脈管構造の造影像を得るためにＸ線透過写真透視でマイクロカテーテル管腔を介してＸ線透過写真用造影剤を注入する工程と、
Ｃ．  （ｉ）ガイドワイヤの末端が閉塞物質を少なくとも部分的に通過し、（ｉｉ）ガイドワイヤの基端に隣接する部分が患者の体外位置に残されている所望の作動可能位置にガイドワイヤを進める工程と、
Ｄ．  マイクロカテーテルを引き戻して抜出している間、ガイドワイヤが実質的に長手方向に引き戻されるのを阻止するためにガイドワイヤの患者の体外に残る部分を保持しながらマイクロカテーテルを引き戻して抜出する工程と、
Ｅ．  閉塞物質捕獲用受容部が半径方向折り畳み形態に配置されている状態で、塞栓摘出用カテーテルの末端にガイドワイヤの基端を挿入する工程と、
Ｆ．  ガイドワイヤに沿って、塞栓摘出用カテーテルの末端が少なくとも部分的に閉塞物質を通過するまで塞栓摘出用カテーテル装置を末端方向に進める工程と、
Ｇ．  閉塞物質捕獲用受容部をその半径方向拡張形状に開いて配置する工程と、
Ｈ．  閉塞物質の少なくとも一部を基端開口を通って閉塞物質捕獲用受容部内に受容させるために閉塞物質捕獲用受容部を幾分引き戻す工程と、
Ｉ．  塞栓摘出用カテーテル装置と閉塞物質とを引き込み、それによって閉塞物質を滞留位置から除去する工程と
から成る方法により前記閉塞物質を除去するのに適したサイズおよび形状に形成されているシステム。
【請求項３６】  閉塞物質捕獲用受容部および塞栓摘出用カテーテル本体が、塞栓摘出用カテーテル装置と除去された閉塞物質とを経皮的穿刺路を介して回収することにより前記方法の工程Ｉを達成し得るように構成されている請求項３５に記載のシステム。
【請求項３７】  塞栓摘出用カテーテル装置の閉塞物質捕獲用受部材が長手方向に延びるガイドワイヤ通過口を有し、前記ガイドワイヤ通過口は、塞栓摘出用カテーテル装置が前記方法の工程Ｆで末端方向に進められるときに、ガイドワイヤが閉塞物質捕獲用受容部のガイドワイヤ通過口および塞栓摘出用カテーテル本体のガイドワイヤ管腔を通過するように塞栓摘出用カテーテル本体のガイドワイヤ管腔と整列している請求項３５に記載のシステム。
【請求項３８】  閉塞物質捕獲用受容部による閉塞物質の収容を支援するために閉塞物質捕獲用受容部の少なくとも基端部が閉塞物質の周りに引っ張られるように適合され、それゆえ前記閉塞物質捕獲用受容部は、前記方法の工程Ｈが、閉塞物質捕獲用受容部による閉塞物質の収容を支援するために、閉塞物質の少なくとも一部が、閉塞物質捕獲用受容部内に受容された後で閉塞物質捕獲用受容部の少なくとも基端部を閉塞物質の周りに引っ張る工程をさらに含むように構成されている請求項３５に記載のシステム。
【請求項３９】  前記塞栓摘出用カテーテル装置が通って進む基端カテーテルをさらに含み、前記基端カテーテルは、内部を長手方向に延びる管腔を有する可撓性チューブを含み、かつ、前記方法の工程Ｉが、（ｉ）閉塞物質の少なくとも一部が基端カテーテル内に受容されるように前記塞栓摘出用カテーテル装置および閉塞物質を引き込む工程と、その後、（ｉｉ）閉塞物質を除去するために基端カテーテルと一緒に塞栓摘出用カテーテル装置を抜出する工程を含むように、
前記閉塞物質捕獲用受容部に関して適したサイズおよび形状に形成されている請求項３５に記載のシステム。
【請求項４０】  基端カテーテルが基端閉塞物質受容部材をさらに備え、この基端閉塞物質受容部材は、前記方法の工程Ｉが、（ｉ）基端カテーテルから基端閉塞物質受容部材を開いて配置する工程、および（ｉｉ）閉塞物質が閉塞物質捕獲用受容部と前記基端閉塞物質受容部材との間に実質的に捕獲されるように塞栓摘出用カテーテル装置を引き込む工程をさらに含み得るように基端カテーテルの末端から開いて配置可能である請求項３５に記載のシステム。
【請求項４１】  閉塞物質捕獲用受容部が、（ｉ）末端閉塞物質収容部と、（ｉｉ）閉塞物質捕獲用受容部がその作動可能な半径方向拡張形状に開いて配置されているときに閉塞物質収容部と塞栓摘出用カテーテル本体との間に延びる少なくとも１本の基端側支柱とを備え、前記少なくとも１本の基端部材は、閉塞物質捕獲用受容部が工程Ｈで引き戻されるときに、前記少なくとも１本の基端部材が閉塞物質を通過するように閉塞物質を通過するサイズおよび形状に形成されている請求項３５に記載のシステム。
【請求項４２】  塞栓摘出用カテーテル本体が異なる可撓性を有する２つ以上の別個の領域を有する請求項３５に記載のシステム。
【請求項４３】  塞栓摘出用カテーテル本体が異なる径を有する２つ以上の別個の領域を有する請求項３５に記載のシステム。
【請求項４４】  前記異なる径を有する別個の領域が異なる可撓性をも有する請求項４３に記載のシステム。
【請求項４５】  マイクロカテーテル本体が異なる可撓性を有する２つ以上の別個の領域を有する請求項３５に記載のシステム。
【請求項４６】  マイクロカテーテル本体が異なる径を有する２つ以上の別個の領域を有する請求項３５に記載のシステム。
【請求項４７】  前記異なる径を有する別個の領域が異なる可撓性をも有する請求項４６に記載のシステム。
【請求項４８】  血管から凝血塊または他の閉塞物質を除去するための塞栓摘出用カテーテル装置であって、
基端、末端、および少なくとも一部を長手方向に延びるガイドワイヤ管腔を有する細長い可撓性カテーテル本体と、
初めは閉塞物質を通過し得る第１の積み込み形状に配置され、のちに第２の半径方向拡張形状に開いて配置可能な閉塞物質捕獲用受容部と
を備え、
前記閉塞物質捕獲用受容部が、末端閉塞物質受容部と、カテーテル本体から受容部の末端閉塞物質受容部まで延びる少なくとも１本の基端側支柱とを有し、
前記少なくとも１本の基端側支柱が基端方向に引き込まれるときには凝血塊を通過し得るように設計されている
塞栓摘出用カテーテル装置。
【請求項４９】  閉塞物質捕獲用受容部が、血液を流通させるのに十分な程度に多孔性であるが、凝血塊の通過を阻止するのに十分な程度に非多孔性である請求項４８に記載の塞栓摘出用カテーテル装置。
【請求項５０】  前記閉塞物質捕獲用受容部に、２５〜９０％の多孔度を得るために１００〜１，０００ミクロンの開口が形成されている請求項４９に記載の塞栓摘出用カテーテル装置。
【請求項５１】  閉塞物質捕獲用受容部が少なくとも部分的に、カテーテル内に引き込まれるときには前記第１形状に折り畳まれ、前記カテーテルから出て進められるときには前記第２形状に拡張される予備形成弾性材料より形成されている請求項４８に記載の塞栓摘出用カテーテル装置。
【請求項５２】  閉塞物質捕獲用受容部が、少なくとも部分的に、体温において超弾性の材料より形成されている請求項５１に記載の塞栓摘出用カテーテル。
【請求項５３】  閉塞物質捕獲用受容部が、体温において超弾性のニッケル−チタン合金より形成されている請求項５２に記載の塞栓摘出用カテーテル。
【請求項５４】  カテーテルが前記カテーテルの末端を通って延びる複数の部材ガイド通路をさらに備え、
閉塞物質捕獲用受容部が、受容部の末端閉塞物質受容部の形状をとるように予備形成された複数の末端部と前記少なくとも１つの支柱を構成する複数の基端部とを有する細長い部材であって、カテーテルの末端に形成された複数のガイド通路を通って延びる複数の細長い部材を有し、
前記細長い部材は前記ガイド通路を通って基端方向に引き込み可能であり、それにより前記細長い部材はほぼまっすぐな形状をとることと、
前記細長い部材は前記ガイド通路を通って末端方向に推進可能であり、それにより前記細長い部材は前記末端閉塞物質受容部および前記少なくとも１本の基端側支柱を構成する
請求項４８に記載の塞栓摘出用カテーテル装置。
【請求項５５】  前記細長い部材の末端に形成された先端部材をさらに備え、前記受容部のガイドワイヤ管腔が前記先端部材を通って延びている請求項４８に記載の塞栓摘出用カテーテル装置。
【請求項５６】  カテーテル本体の基端に形成された基端連結部材をさらに備え、前記基端連結部材には、ガイドワイヤがカテーテル本体のガイドワイヤ管腔内に配置されている間にカテーテル本体の管腔を介してＸ線透過写真用造影剤を注入するための注入口が形成されている請求項４８に記載の塞栓摘出用カテーテル装置。
【請求項５７】  前記支柱は、基端方向に引き込まれるときには凝血塊を通過するように設計かつ配置されるが、受容部の末端閉塞物質受容部は凝血塊の通過を阻止するのには十分に緻密である請求項４８に記載の塞栓摘出用カテーテル装置。
【請求項５８】  ガイドワイヤ管腔がカテーテル本体の実質的に全体にわたって長手方向に延びているオーバーザワイヤ実施態様の請求項４８に記載の塞栓摘出用カテーテル。
【請求項５９】  カテーテルが、その末端近くに間隔を置いてカテーテル内に形成されたガイドワイヤ通過口をさらに備え、ガイドワイヤ管腔が、カテーテル内の少なくともガイドワイヤ通過口からカテーテルの末端まで延びている迅速交換型実施態様の請求項４８に記載の塞栓摘出用カテーテル。
【請求項６０】  ガイドワイヤ管腔内に配置され、カテーテルがガイドワイヤに沿って末端方向に進められるときにガイドワイヤの基端をガイドワイヤ通過口から出して曲がった方向へ向けるように設計されたガイドワイヤ偏向部をさらに備える請求項５９に記載の塞栓摘出用カテーテル装置。
【請求項６１】  ガイドワイヤ偏向部が湾曲したガイドワイヤ偏向チューブを有し、湾曲したガイドワイヤ偏向チューブは、ガイドワイヤの基端が前記湾曲したガイドワイヤ偏向チューブの末端内に収容された後、湾曲したガイドワイヤ偏向チューブを通ってガイドワイヤ通過口から出て行くように、ガイドワイヤ通過口に配置された基端とカテーテルのガイドワイヤ管腔内に配置された末端とを有する請求項６０に記載の塞栓摘出用カテーテル装置。
【請求項６２】  ガイドワイヤの基端を湾曲したガイドワイヤ偏向チューブの末端に入れやすくするために、湾曲したガイドワイヤ偏向チューブの末端の方が湾曲したガイドワイヤ偏向チューブの残りの部分より大きい径を有する請求項６１に記載の塞栓摘出用カテーテル装置。
【請求項６３】  湾曲したガイドワイヤ偏向チューブの末端をカテーテルのガイドワイヤ管腔内のほぼ中心位置に保持するために、少なくとも１つの支持部材が湾曲したガイドワイヤ偏向チューブの末端に取り付けられている請求項６１に記載の塞栓摘出用カテーテル装置。
【請求項６４】  ガイドワイヤ管腔がさらにカテーテルのガイドワイヤ通過口近くの部分を通って延びて、Ｘ線透過写真用造影剤注入用およびガイドワイヤ通過用に用いられ、Ｘ線透過写真用造影剤を湾曲したガイドワイヤ偏向チューブを通ってカテーテルの末端から流出させるために、湾曲したガイドワイヤ偏向チューブの末端に隣接して少なくとも１つの流路が形成されている請求項５９に記載の塞栓摘出用カテーテル装置。
【請求項６５】  カテーテル本体がその基端近くに比べてその末端近くの方が可撓性が大きい請求項４８に記載の塞栓摘出用カテーテル装置。
【請求項６６】  カテーテル本体の基端と末端の間の少なくとも一部分が、その全長にわたって次第に増大する可撓性を有する請求項６５に記載の塞栓摘出用カテーテル装置。
【請求項６７】  カテーテル本体が異なる可撓性を有する２つ以上の別個の領域を有する請求項６５に記載の塞栓摘出用カテーテル装置。
【請求項６８】  カテーテル本体が異なる径を有する２つ以上の別個の領域を有する請求項６５に記載の塞栓摘出用カテーテル装置。
【請求項６９】  前記異なる径を有する別個の領域が異なる可撓性をも有する請求項６８に記載の塞栓摘出用カテーテル装置。
【請求項７０】  閉塞物質捕獲用受容部およびカテーテル本体が、除去した閉塞物質と共に経皮的血管アクセス路を通って抜出可能であるように構成されている請求項４８に記載の塞栓摘出用カテーテル。